(57)【要約】【課題】グロメットやその内部に挿通されたワイヤハーネスを屈曲させても、ワイヤハーネスにかかる応力負荷を吸収して軽減し、屈曲性能を向上できるグロメットを提供する。【解決手段】グロメット１は、一端側が蛇腹状で、他端側内部に保持板８を有する略Ｌ字筒状に形成され、ワイヤハーネス１３を挿通して保持板８に固定し他端を対象物２に設けた孔３に嵌着して配索するためのものであって、保持板８は、弾性素材より成る複数の短冊部２５ａ〜２５ｄを備え、ワイヤハーネス１３にかかる応力負荷を短冊部２５ａ〜２５ｄが変形して吸収することができる。【選択図】図５
2009027786.tif 000002
【特許請求の範囲】
【請求項１】
対象物に設けられた孔に嵌着し、内部にワイヤハーネスを挿通して該ワイヤハーネスを配索するグロメットであって、
一端側が蛇腹状であると共に他端側内部に上記ワイヤハーネスが固定される保持板を有する略Ｌ字筒状に形成され、
上記保持板は、弾性素材より成る複数の短冊部を備え、
上記ワイヤハーネスにかかる応力負荷を上記短冊部が変形して吸収することを特徴とする、グロメット。
【請求項２】
前記短冊部は、縦断面蛇腹状に形成されたことを特徴とする、請求項１に記載のグロメット。
【請求項３】
一端側が蛇腹状であると共に他端側内部に保持板を有する略Ｌ字筒状に形成され、ワイヤハーネスを挿通して上記保持板に固定し上記他端を対象物に設けられた孔に嵌着して配索するためのグロメットであって、
上記保持板は弾性素材より成り、その一端を上記グロメット内部に、他端を上記ワイヤハーネスに固着すると共に、両端間に湾曲部を有し、
上記ワイヤハーネスにかかる応力負荷を上記保持板が変形して吸収することを特徴とする、グロメット。
【請求項４】
前記保持板は、両端間に板幅方向の括れ部を有することを特徴とする、請求項３に記載のグロメット。
【発明の詳細な説明】
【技術分野】
【０００１】
本発明は、自動車の車体をなすパネル等の対象物に設けられた孔に嵌着されてワイヤハーネスを配索するためのグロメットに係り、その一部分乃至全体が屈曲可能に構成されたグロメットに関するものである。
【背景技術】
【０００２】
グロメットは、対象物に設けられた孔に嵌着されて、グロメットの内部にワイヤハーネスが挿通されることによって、配索時及び配索後におけるワイヤハーネスの損傷を防止乃至抑制するものである。このような役割を担うグロメットの内、一端側が蛇腹状に形成され、他端側内部に保持板を有する略Ｌ字筒状に形成されたものが知られている。このような構成を採るグロメットの例としては、特許文献１を挙げることができる。
【０００３】
特許文献１に開示されているグロメットは、略円筒状をなす円筒部の一端側に延設された蛇腹状筒部を、他端側には該円筒部に対して約４５°程傾斜させて形成された開口部を有し、一端が該円筒部の内壁に固設され、他端が該開口部からほぼ垂直に突き出た保持板としてのテープ巻き舌片を有する。グロメット内に挿通されたワイヤハーネスは、該テープ巻き舌片に固定用のテープで固定され、グロメット内部において安定的に保持されるように構成されている。
【特許文献１】特開２００３−８７９４５号公報
【発明の開示】
【発明が解決しようとする課題】
【０００４】
このように従来のグロメットでは、その蛇腹状筒部を屈曲させた際に、その内部に挿通したワイヤハーネスに伸縮や捻れ方向の力が加わる。しかしながら、ワイヤハーネス自体は屈曲性は有するものの伸縮性を有しておらず、グロメット内の保持板に固定用テープで固定されているため、グロメットの屈曲動作にワイヤハーネスの動きが追従できず、グロメット自体の屈曲性能を低下させてしまうという問題があった。さらに、上記固定部にワイヤハーネスの歪みの応力負荷が集中してしまって、ワイヤハーネスの損傷にもつながるおそれがある。
【０００５】
本発明は、上記問題点に鑑みて創作されたものであり、グロメットやその内部に挿通されたワイヤハーネスを屈曲させても、その際にワイヤハーネスにかかる応力負荷を吸収して軽減し、屈曲性能を向上できるグロメットを提供することを目的とする。
【課題を解決するための手段】
【０００６】
上記目的を達成するため、本発明の第一の構成は、対象物に設けられた孔に嵌着し、内部にワイヤハーネスを挿通してワイヤハーネスを配索するグロメットであって、一端側が蛇腹状であると共に他端側内部にワイヤハーネスが固定される保持板を有する略Ｌ字筒状に形成され、保持板は、弾性素材より成る複数の短冊部を備え、ワイヤハーネスにかかる応力負荷を短冊部が変形して吸収することを特徴とする。保持板には、短冊部の縦断面を蛇腹状に形成したり、保持板の両端間に板幅方向の括れ部を形成したりして、より高い可撓性を付与してもよい。
【０００７】
本発明の第二の構成に係るグロメットは、一端側が蛇腹状であると共に他端側内部に保持板を有する略Ｌ字筒状に形成され、ワイヤハーネスを挿通して該保持板に固定し他端を対象物に設けられた孔に嵌着して配索するためのものであって、保持板は、弾性素材より成り、その一端をグロメット内部に、他端をワイヤハーネスに固着すると共に、両端間に湾曲部を有し、ワイヤハーネスにかかる応力負荷を保持板の湾曲部周辺が変形して吸収することを特徴とする。保持板には、その両端間に板幅方向の括れ部を形成したり、複数の短冊部を備えたり、短冊部の縦断面を蛇腹状に形成したりして、より高い可撓性を付与してもよい。
【発明の効果】
【０００８】
本発明の第一実施形態のグロメットによれば、その内部に挿通されたワイヤハーネスを、グロメットの一端側内部に形成した、弾性素材より成る複数の短冊部を備えた保持板に固定することによって、グロメットやその内部に挿通されたワイヤハーネスの屈曲動作に応じてワイヤハーネスにかかる応力負荷を、短冊部が変形して吸収する。従って、ワイヤハーネスの破損や劣化を防止できると共に、内部にワイヤハーネスを挿通した状態のグロメットの屈曲性能を向上できる。さらに、これらの効果は、短冊部の縦断面を蛇腹状に形成したり、保持板の両端間に板幅方向の括れ部を形成したりして、より高い可撓性を付与することで、一層向上させることが可能である。
【０００９】
また、本発明の第二の構成に係るグロメットによれば、その内部に挿通されたワイヤハーネスを、その一端をグロメット内部に、他端をワイヤハーネスに固着すると共に、両端間に湾曲部を有する弾性素材より成る保持板に固定することによって、グロメットやその内部に挿通されたワイヤハーネスの屈曲動作に応じてワイヤハーネスにかかる応力負荷を保持板の湾曲部周辺が変形して吸収する。従って、第一実施形態のグロメットと同様に、ワイヤハーネスの破損や劣化を防止できると共に、内部にワイヤハーネスを挿通した状態のグロメットの屈曲性能を向上できる。さらに、これらの効果は、保持板に板幅方向の括れ部を形成したり、複数の短冊部を備えたり、短冊部の縦断面を蛇腹状に形成したりして、より高い可撓性を付与することで、一層向上させることが可能である。
【発明を実施するための最良の形態】
【００１０】
以下、本発明の第一実施形態のグロメットにつき、添付の図１乃至７を参照しながら詳細に説明する。図１は、第一実施形態のグロメット１の全体を側面から見た外観図であり、図５はその断面図である。本実施例のグロメット１は、板状の対象物２に貫穿された孔３に嵌着するための第１の嵌着部材４と、この第１の嵌着部材４に連結されるグロメット本体５と、グロメット本体５の後端の開口部６に装着される第２の嵌着部材７とを有する。図１において、第１の嵌着部材４から突き出ているのは、グロメット本体５の内部に形成された保持板８の先端部分である。
【００１１】
図２は、第１の嵌着部材４側の端部周辺の縦断面図である。第１の嵌着部材４は、可撓性を有する樹脂から成り、一端が帽子のツバ上に広がったツバ９として形成された円筒１０に、他端が円筒１０の周回に亘って返し状に形成された抜け止１１を備えて成る。この返し状を成す抜け止１１は、抜け止１１の下端から返し状の先端に向かって小径から大径になっていて、対象物の孔３に対して挿入し易く、抜け難いようになっている。
【００１２】
第２の嵌着部材７は、ほぼ第１の嵌着部材４と同様に構成されるものであり、可撓性を有する樹脂から成り、図５に示すように、一端が帽子のツバ上に広がったツバ１７として形成された円筒２７であり、他端が円筒２７の周回に亘って返し状に形成される抜け止２０を有して成る。この返し状を成す抜け止２０は、抜け止２０の下端から返し状の先端に向かって小径から大径になっていて、対象物の孔３に対して挿入し易く、抜け難いようになっている。
【００１３】
グロメット本体５は、可撓性を有する樹脂から成り、図２乃至図５に示すように、両端が円形に開口した略Ｌ字筒状に形成される。この略Ｌ字筒状の一端側には、屈曲可能に形成される蛇腹状筒部１２を有し、フレキシブルに屈曲できるようになっている。略Ｌ字筒状の他端側内部には、保持板８を有し、グロメット１内部に挿通されるワイヤハーネス１３を、固定用テープ１４で固着して、ワイヤハーネス１３を安定的に保持することができるようになっている。
【００１４】
グロメット本体５の一端付近には、内径及び外径が横断面円形で且つ縦断面略矩形状に広がった第１の装着部１５を有し、他端付近には内径及び外径が横断面円形で且つ縦断面略矩形状に広がった第２の装着部１６を有する。これらの第１の装着部１５及び第２の装着部１６にそれぞれ第１の嵌着部材４及び第２の嵌着部材７のツバ９，１７を挿入することで、グロメット本体５を第１の嵌着部材４及び第２の嵌着部材７に連結する。
【００１５】
グロメット本体５の両端部には、それぞれ外方に向かって拡開した弾性開口部１８，１９が備えられている。この弾性開口部１８，１９は、弾性的に変形可能であり、本実施例のグロメット１を対象物２に装着した際に、弾性開口部１８，１９と、第１の嵌着部材４や第２の嵌着部材７の先端に形成された抜け止１１，２０とで、対象物２を表裏から挟み込むようにして、対象物２に貫穿された孔３に対してグロメット１を密接に嵌着することができる。
【００１６】
保持板８は、弾性素材から成り、図２及び図３に示すように、一端をグロメット本体５の内周面２１に固着し、他端を内周面２１に対向するグロメット本体５の開口部２２に向かって延設し、その先端が開口部２２に装着される第１の嵌着部材４の開口部２３における外端寄り位置から口外に若干突き出すように形成される。保持板８は、側面から見た縦断面形状が蛇腹状に形成されて、弾性的に変形し易いようになっている。そして、図４から分かるように、保持板８はその板幅方向をほぼ４等分するように、その上部から下端に亘って一定幅の３本のスリット２４ａ，２４ｂ，２４ｃが形成され、４本の短冊部２５ａ，２５ｂ，２５ｃ，２５ｄを有する。各短冊部２５ａ，２５ｂ，２５ｃ，２５ｄの上部のグロメット本体５の内周面２１に繋がっている基端部２６は、互いに連結されて一枚板状を成している。また、図示しないが、保持板８の基端部２６には、その板幅方向の括れ部を形成して、より高い可撓性を付与することも可能である。
【００１７】
このように構成される本実施例のグロメット１を使用する場合には、図５及び図６に示すように、先ず、グロメット本体５の両端間に亘って、一連のワイヤハーネス１３を挿通する。そして、グロメット本体５の一端側においては、保持板８に対してワイヤハーネス１３を固定用テープ１４で保持板８ごと巻回し、結束状態で固着する。その後、第１の嵌着部材４の内部に上記ワイヤハーネス１３を挿通しつつ、上記一端側の第１の装着部１５に第１の嵌着部材４を装着する。他端である蛇腹状筒部１２側の第２の装着部１６には、その内部にワイヤハーネス１３を挿通しつつ第２の嵌着部材７を装着する。そして、このような状態にしたグロメット１における一端側の第１の嵌着部材４を、板状の対象物２に貫穿された孔３に挿入して嵌着する。図示しないが、適宜、他端側の第２の嵌着部材７も同様に、対象物に貫穿された別の孔に挿入して嵌着する。
【００１８】
グロメット本体５の蛇腹状筒部１２は屈曲自在であるから、所望の方向に曲げてワイヤハーネス１３を配索することができる。一般的には、ワイヤハーネス１３には、可撓性はあるものの伸縮性は無く、屈曲に際しては、屈曲の内側と外側とでワイヤハーネス１３にかかる応力負荷が異なる。従って、それによってもたらされる歪みが、保持板８に固定した部位に集中する。しかし本実施例のグロメット１によれば、縦断面が蛇腹状であると共に板幅方向にスリット２３ａ，２３ｂ，２３ｃを設けて複数の短冊状に形成された保持板８が、応力負荷に応じて撓むことで、ワイヤハーネス１３にかかる、伸縮，ねじれ及びワイヤハーネス１３に垂直方向の応力負荷を吸収することができる。その状態の一例を示したのが図７である。図７に示すグロメット１は、その蛇腹状筒部１２を上向きにほぼ９０°屈曲させた状態にしたものであり、保持板８は図中において右側に反るように変形して応力負荷を吸収している。
【００１９】
次に、本発明の第二実施形態のグロメットにつき添付の図８乃至１３を参照しながら詳細に説明する。図８は、本実施例のグロメット１０１の全体を、側面から見た外観図である。図８又は図１３に示すように、本実例のグロメット１０１は、板状の対象物１０２に貫穿された孔１０３に嵌着するための第１の嵌着部材１０４と、この第１の嵌着部材１０４に連結されるグロメット本体１０５と、グロメット本体１０５の後端の開口部１０６に装着される第２の嵌着部材１０７とを有する。図１において、第１の嵌着部材１０４から突き出ているのは、グロメット本体１０５の内部に形成された保持板１０８の先端部分である。
【００２０】
図９は、第１の嵌着部材１０４側の端部周辺の縦断面図である。第１の嵌着部材１０４は可撓性を有する樹脂から成り、一端が帽子のツバ状に広がったツバ１０９を成す円筒１１０に、他端が円筒１１０の周回に亘って返し状に形成された抜け止１１１を備えて成る。この返し状を成す抜け止１１１は、抜け止１１１の先端から返し状の先端に向かって小径から大径になっていて、対象物の孔１０３に対して挿入し易く、抜け難いようになっている。
【００２１】
第２の嵌着部材１０７は、ほぼ第１の嵌着部材１０４と同様に構成されるものであり、可撓性を有する樹脂から成り、図８に示すように、一端がツバ状１１７に広がった円筒１２７を成し、他端が円筒１２７の周回に亘って返し状に形成される抜け止１２０を有して成る。この返し状を成す抜け止１２０は、抜け止１２０の先端から返し状の先端に向かって小径から大径になっていて、対象物の孔１０３に対して挿入し易く、抜け難いようになっている。
【００２２】
グロメット本体１０５は可撓性を有する樹脂から成り、図２乃至図５に示すように、両端が円形に開口した略Ｌ字筒状に形成される。この略Ｌ字筒状の一端側には、屈曲可能に形成される蛇腹状筒部１１２を有し、フレキシブルに屈曲できるようになっている。略Ｌ字筒状の他端側内部には、保持板１０８が備えられ、グロメット１０１内部に挿通されるワイヤハーネス１１３を固定用テープ１１４で固着して、ワイヤハーネス１１３を安定的に保持することができるようにしている。
【００２３】
グロメット本体１０５の一端付近には、内径及び外径が、横断面円形で且つ縦断面略矩形状に広がった第１の装着部１１５を有し、他端付近には内径及び外径が、横断面円形で且つ縦断面略矩形状に広がった第２の装着部１１６を有する。これらの第１の装着部１１５及び第２の装着部１１６に、それぞれ第１の嵌着部材１０４及び第２の嵌着部材１０７のツバ状１０９，１１７に広がった部分を挿入することで、グロメット本体１０５を第１の嵌着部材１０４及び第２の嵌着部材１０７に連結する。
【００２４】
グロメット本体１０５の両端部には、それぞれ外方に向かって拡開した弾性開口部１１８，１１９を有する。この弾性開口部１１８，１１９は、弾性的に変形可能であり、本実施例のグロメット１０１を対象物に装着した際に、弾性開口部１１８，１１９と、第１の嵌着部材１０４や第２の嵌着部材１０７の先端に形成された抜け止１１１，１２０とで、対象物１０２を表裏から挟み込むようにして、対象物１０２に貫穿された孔１０３に対してグロメット１０１を密接に嵌着することができる。
【００２５】
保持板１０８は弾性素材から成り、図９乃至図１３に示すように、一端をグロメット本体１０５の内周面１２１に固着し、他端を内周面１２１の下方に位置するグロメット本体１０５の開口部１２２に向かって延設し、その先端が開口部１２２に装着される第１の嵌着部材１０４の開口部１２３における外端寄り位置から口外に若干突き出すように形成される。保持板１０８は、グロメット本体１０５の内周面１２２に固着される一端と、第１の嵌着部材１０４の開口部１２３から突き出た他端との間に、１つの湾曲部１２４を備えて成る。即ち、保持板１０８は、側面から見た縦断面形状が、略逆レ字形状に形成され、弾性的に変形し易いようになっている。そして、図９から分かるように、保持板１０８は、グロメット本体１０５の内周面１２１から傾斜して立ち上がり、その上端に湾曲部１２４を有し、そこから下端に至るまで真っ直ぐに垂下した形状になっている。ただし、側面から見た真っ直ぐに垂下している保持板１０８は、図１１及び図１２から判るように、真っ直ぐに垂下している部分の上部には、板幅方向に括れ部１２５を備えて成る。また、図示しないが、保持板１０８の真っ直ぐに垂下した部分には、実施例１と同様に、上部から下端にかけて適宜の間隔で所望の幅のスリットを形成して複数の短冊部を形成したり、或いは、括れ部１２５の下部から先端にかけて、側面から見た縦断面形状を蛇腹状にしたりして、より高い可撓性を付与することも可能である。
【００２６】
このように構成される本実施例のグロメット１０１を使用する場合には、先ず、グロメット本体１０５の両端間に亘って、一連のワイヤハーネス１１３を挿通する。そして、図１３に示すように、グロメット本体１０５の一端側においては、保持板１０８に対してワイヤハーネス１１３を固定用テープ１１４で保持板１０８ごと巻回し、結束状態で固着する。その後、第１の嵌着部材１０４の内部に上記ワイヤハーネス１１３を挿通しつつ、上記一端側の装着部１１５に第１の嵌着部材１０４を装着する。他端である蛇腹状筒部１１２側の装着部１１６には、その内部にワイヤハーネス１１３を挿通しつつ第２の嵌着部材１０７を装着する。このような状態にしたグロメット１０１における一端側の第１の嵌着部材１０４を、対象物１０２に貫穿された孔１０３に挿入して嵌着する。図示しないが、適宜、他端側の第２の嵌着部材１０７も同様に、対象物に貫穿された別の孔に挿入して嵌着する。
【００２７】
グロメット本体１０５の蛇腹状筒部１１２は屈曲自在であるから、所望の方向に曲げてワイヤハーネス１１３を配索することができる。ワイヤハーネス１１３には、可撓性はあるものの伸縮性は無く、屈曲に際しては、屈曲の内側と外側とでワイヤハーネス１１３にかかる応力負荷が異なる。従って、それによってもたらされる歪みが、保持板１０８に固定した部位に集中する。しかし本実施例のグロメット１０１によれば、湾曲部１２４や括れ部１２５を形成した保持板１０８が、応力負荷に応じて撓むことで、ワイヤハーネス１１３にかかる、伸縮、捻れ、及びワイヤハーネス１１３に垂直方向の応力負荷を吸収することができる。
【００２８】
以上説明したが、本発明はその主旨を逸脱しない範囲において様々な形態で実施することができる。例えば、上記第一実施形態の説明では、保持板８はスリット２４ａ〜２４ｃを設けて、複数の蛇腹状に形成した短冊部２５ａ〜２５ｄから成っている場合を例に挙げたが、これに限定されるものではなく、例えば、保持板８が蛇腹状になっておらず、真っ直ぐに垂下したものであってもよいことは明らかである。また、第２の実施例の説明では、保持板１０８は括れ部１２５が形成されて成る場合を例に挙げたが、必ずしも括れ部１２５を形成する必要はなく、湾曲部１２４から下は、真っ直ぐに垂下してもよいことは勿論である。
【図面の簡単な説明】
【００２９】
【図１】第一実施形態のグロメットの全体を、側面から見た外観図である。
【図２】第１の嵌着部材側の端部周辺の縦断面図である。
【図３】図２のＡ−Ａ断面図である。
【図４】図２のＢ−Ｂ断面図である。
【図５】内部にワイヤハーネスを挿通し、対象物に貫穿された孔に嵌着した状態のグロメット全体の縦断面図である。
【図６】図５のＡ−Ａ断面図である。
【図７】図５の状態から蛇腹状筒部を上向きに約９０°屈曲した状態を示す縦断面図である。
【図８】第二実施形態のグロメットの全体を、側面から見た外観図である。
【図９】第２の嵌着部材側の端部周辺の縦断面図である。
【図１０】図９のＡ−Ａ断面図である。
【図１１】図９のＢ−Ｂ断面図である。
【図１２】保持板の拡大斜視図である。
【図１３】内部にワイヤハーネスを挿通し、対象物に貫穿された孔に嵌着した状態のグロメットの第１の嵌着部材周辺の縦断面図である。
【符号の説明】
【００３０】
１  グロメット
２  対象物
３  孔
４  第１の嵌着部材
５  グロメット本体
６  開口部
７  第２の嵌着部材
８  保持板
９  ツバ
１０  円筒
１１  抜け止
１２  蛇腹状筒部
１３  ワイヤハーネス
１４  固定用テープ
１５  第１の装着部
１６  第２の装着部
１７  ツバ
１８  弾性開口部
１９  弾性開口部
２０  抜け止
２１  内周面
２２  開口部
２３  開口部
２４ａ〜２４ｃ  スリット
２５ａ〜２５ｄ  短冊部
２６  基端部
２７  円筒
１０１  グロメット
１０２  対象物
１０３  孔
１０４  第１の嵌着部材
１０５  グロメット本体
１０６  開口部
１０７  第２の嵌着部材
１０８  保持板
１０９  ツバ
１１０  円筒
１１１  抜け止
１１２  蛇腹状筒部
１１３  ワイヤハーネス
１１４  固定用テープ
１１５  第１の装着部
１１６  第２の装着部
１１７  ツバ
１１８  弾性開口部
１１９  弾性開口部
１２０  抜け止
１２１  内周面
１２２  開口部
１２３  開口部
１２４  湾曲部
１２５  括れ部
１２６  基端部
１２７  円筒
【図１】
2009027786.tif 000003
【図２】
2009027786.tif 000004
【図３】
2009027786.tif 000005
【図４】
2009027786.tif 000006
【図５】
2009027786.tif 000007
【図６】
2009027786.tif 000008
【図７】
2009027786.tif 000009
【図８】
2009027786.tif 000010
【図９】
2009027786.tif 000011
【図１０】
2009027786.tif 000012
【図１１】
2009027786.tif 000013
【図１２】
2009027786.tif 000014
【図１３】
2009027786.tif 000015